(57)【要約】【課題】  比較的簡易な構成を用いて玉と軌道面とのラジアル接触角の検査を精度良く行うことができる接触角検査装置、接触角検査用治具および接触角検査方法を提供する。【解決手段】  接触角検査装置２は、検査用治具２１と、計測ユニット２２とを備える。検査用治具２１は、玉１７と内輪側軌道面１１１との２つの接触点の一方に接触可能な第１導体部２１ａと、他方に接触可能な第２導体部２１ｂとを有する。計測ユニット２２は、検査用治具２１の第１導体部２１ａおよび第２導体部２１ｂを内輪側軌道面１１１に接触した状態における、第１導体部２１ａと第２導体部２１ｂとの間の抵抗に依存する電流の電流値を検出する。【選択図】図２
2014238276.tif 000002
【特許請求の範囲】
【請求項１】
玉軸受の軌道輪に形成された軌道面に２点接触している玉のラジアル接触角を検査する接触角検査装置であって、
前記玉と前記軌道面との２つの接触点の一方に接触可能な第１導体部と、他方に接触可能な第２導体部とを有する検査用治具と、
前記検査用治具の前記第１導体部および前記第２導体部が前記軌道面に接触した状態における、前記第１導体部と前記第２導体部との間の抵抗に依存するパラメータを検出する計測ユニットと、を備える
接触角検査装置。
【請求項２】
前記パラメータは、前記検査用治具の前記第１導体部および前記第２導体部が前記軌道面に接触した状態で、前記第１導体部と前記第２導体部との間に電圧を印加したときに、前記軌道輪内部を流れる電流の電流値であり、
前記計測ユニットは、
前記検査用治具の前記第１導体部および前記第２導体部が前記軌道面に接触した状態で、前記第１導体部と前記第２導体部との間に一定の電圧を印加する定電圧源と、
前記電流値を計測する電流計と、を備える
請求項１記載の接触角検査装置。
【請求項３】
前記計測ユニットは、更に、
前記ラジアル接触角と前記電流値との間の相関関係を示すルックアップテーブルに基づいて、前記ラジアル接触角が前記許容範囲内に存在するか否かを判定する判定部を備える
請求項２記載の接触角検査装置。
【請求項４】
前記パラメータは、前記検査用治具の前記第１導体部および前記第２導体部が前記軌道面に接触した状態で、前記第１導体部と前記第２導体部との間に一定の電流を流したときに、前記第１導体部および前記第２導体部との間に生じる電圧の電圧値であり、
前記計測ユニットは、
前記検査用治具の前記第１導体部および前記第２導体部が前記軌道面に接触した状態で、前記第１導体部と前記第２導体部との間に一定の電流を流す定電流源と、
前記電圧値を計測する電圧計と、を備える
請求項１記載の接触角検査装置。
【請求項５】
前記計測ユニットは、更に、
前記ラジアル接触角と前記電圧値との間の相関関係を示すルックアップテーブルに基づいて、前記ラジアル接触角が前記許容範囲内に存在するか否かを判定する判定部を備える
請求項４記載の接触角検査装置。
【請求項６】
前記検査用治具は、断面の包絡形状が前記玉の中心を含む断面の形状に等しい柱状に形成され、
前記第１導体部と前記第２導体部とを電気的に絶縁する絶縁体部を更に備え、
前記第１導体部は、前記検査用治具における中心軸を含む一の仮想平面の一面側に位置し、前記中心軸に直交する方向において前記中心軸との距離が前記玉の半径に等しい第１円弧面を有し、
前記第２導体部は、前記検査用治具における前記仮想平面の他面側に位置し、前記中心軸に直交する方向において前記中心軸との距離が前記玉の半径に等しい第２円弧面を有する
請求項１〜請求項５のいずれか１項に記載の接触角検査装置。
【請求項７】
玉軸受の軌道輪に形成された軌道面に２点接触している玉のラジアル接触角の検査に用いられる検査用治具であって、
前記玉と前記軌道面との２つの接触点の一方に接触可能な第１導体部と、
他方に接触可能な第２導体部と、
前記第１導体部と前記第２導体部とを電気的に絶縁する絶縁体部と、を備え、
断面の包絡形状が前記玉の中心を含む断面の形状に等しい柱状に形成され、
前記第１導体部は、前記検査用治具における中心軸を含む一の仮想平面の一面側に位置し、前記中心軸に直交する方向において前記中心軸との距離が前記玉の半径に等しい第１円弧面を有し、
前記第２導体部は、前記検査用治具における前記仮想平面の他面側に位置し、前記中心軸に直交する方向において前記中心軸との距離が前記玉の半径に等しい第２円弧面を有する
接触角検査用治具。
【請求項８】
玉軸受の軌道輪に形成された軌道面に２点接触している玉のラジアル接触角を、前記玉と前記軌道面との２つの接触点の一方に接触可能な第１導体部と、他方に接触可能な第２導体部とを有する検査用治具を用いて検査する接触角検査方法であって、
前記第１導体部を、前記玉と前記軌道面との前記２つの接触点の一方に接触させるとともに、前記第２導体部を、他方に接触させるステップと、
前記検査用治具の前記第１導体部および前記第２導体部が前記軌道面に接触した状態における、前記第１導体部と前記第２導体部との間の抵抗に依存するパラメータを検出するステップと、
前記パラメータと前記ラジアル接触角との相関関係に基づいて、前記ラジアル接触角が許容範囲内に存在するか否かを判定するステップと、を含む
接触角検査方法。
【発明の詳細な説明】
【技術分野】
【０００１】
この発明は、軸受における軌道面と転動体との接触角を検査する接触角検査装置および接触角検査方法に関する。
【背景技術】
【０００２】
従来、航空機のジェットエンジン等に多く採用されている玉軸受として３点接触玉軸受がある。
この３点接触玉軸受の性能を決めるパラメータとして、ラジアル接触角がある。ラジアル接触角は、玉と軌道輪の軌道面との接触点と、玉の中心とを結ぶ直線の、ラジアル方向（玉軸受の径方向）に対する傾斜角として定義される。このラジアル接触角は、軌道面の曲率が変化すると変化する。従って、軌道輪の軌道面を加工する工程においては、このラジアル接触角が所定の角度範囲内となるように軌道面の出来栄えを管理することが重要となっている。
【０００３】
これに対して、従来から、表面が絶縁膜で被覆された球面電極を、軌道輪の軌道面に押し当てた状態で、球面電極と軌道輪との間の静電容量を測定し、その測定値から軌道面の曲率を測定する方法が提案されている（特許文献１参照）。
【先行技術文献】
【特許文献】
【０００４】
【特許文献１】特開２００９−１８０５７３号公報
【発明の開示】
【発明が解決しようとする課題】
【０００５】
ところで、特許文献１に記載された技術では、静電容量の測定値を大きくするために、球面電極を軌道面に押し当てたときの球面電極表面と軌道面との間の距離をなるべく短い距離（例えば、２５μｍ程度）に設定する必要がある。
また、静電容量の測定値は、球面電極を軌道面に押し当てたときの球面電極表面と軌道面との間の距離に依存する。従って、例えば、測定誤差を±２０％程度に抑えるためには、上記距離の長さのばらつきを±２０％程度にする必要がある。すると、上記距離の長さが短くなると、そのばらつきは更に短くする必要がある。例えば、上記距離が２５μｍとして、測定誤差を±２０％程度にするためには、上記距離のばらつきを５μｍ程度にする必要がある。
【０００６】
つまり、特許文献１に記載された技術では、測定時における球面電極表面と軌道面との間の距離を非常に短い距離誤差で管理する必要があり、測定精度が検査作業者の検査技術に大きく依存してしまう虞がある。
また、測定精度の検査作業者の検査技術への依存度を低減するために、球面電極と軌道輪とを高い位置精度で固定する固定治具等を使用することが考えられる。ところが、この場合、この固定治具の構成が複雑化し、測定装置全体の構成が複雑化する虞がある。
【０００７】
本発明は、上記事由に鑑みてなされたものであり、比較的簡易な構成としながら、玉と軌道面とのラジアル接触角の検査を精度良く行うことができる接触角検査装置、接触角検査用治具および接触角検査方法を提供することを目的とする。
【課題を解決するための手段】
【０００８】
本発明に係る接触角検査装置は、玉軸受の軌道輪に形成された軌道面に２点接触している玉のラジアル接触角を検査する接触角検査装置であって、玉と軌道面との２つの接触点の一方に接触可能な第１導体部と、他方に接触可能な第２導体部とを有する検査用治具と、検査用治具の第１導体部および第２導体部を軌道面に接触した状態における、第１導体部と第２導体部との間の抵抗に依存するパラメータを検出する計測ユニットと、を備える。
本構成によれば、計測ユニットが、検査用治具の第１導体部および第２導体部が軌道面に接触した状態における、第１導体部と第２導体部との間の抵抗値に依存するパラメータを検出する。本構成では、検査作業者の検査技術への依存度が低い第１導体部と第２導体部との間の抵抗に依存するパラメータに基づいて、ラジアル接触角の検査を行うことができる。従って、比較的簡易な構成としながら、玉と軌道面とのラジアル接触角の検査を精度良く行うことができる。
【０００９】
また、本発明に係る接触角検査装置では、上記パラメータが、上記検査用治具の上記第１導体部および上記第２導体部が上記軌道面に接触した状態で、第１導体部と第２導体部との間に電圧を印加したときに、軌道輪内部を流れる電流の電流値であってもよい。そして、上記計測ユニットが、検査用治具の第１導体部および第２導体部が軌道面に接触した状態で、第１導体部と第２導体部との間に一定の電圧を印加する定電圧源と、電流値を計測する電流計と、を備えるものであってもよい。
本構成によれば、検査作業者の検査技術への依存度が低い軌道輪内部を流れる電流に基づいて、ラジアル接触角の検査を行う。従って、比較的簡易な構成としながら、玉と軌道面とのラジアル接触角の検査を精度良く行うことができる。
【００１０】
また、本発明に係る接触角検査装置は、上記計測ユニットが、更に、上記ラジアル接触角と上記電流値との間の相関関係を示すルックアップテーブルに基づいて、上記ラジアル接触角が前記許容範囲内に存在するか否かを判定する判定部を備えるものであってもよい。
本構成によれば、ラジアル接触角と電流値との関係式に基づいて演算を行い、ラジアル接触角を算出する構成に比べて、判定部で行われる演算量の低減を図り易いので、判定部の処理負荷軽減が図り易くなる。
【００１１】
また、本発明に係る接触角検査装置では、上記パラメータが、上記検査用治具の上記第１導体部および上記第２導体部が上記軌道面に接触した状態で、第１導体部と第２導体部との間に一定の電流を流したときに、第１導体部および第２導体部との間に生じる電圧の電圧値であってもよい。そして、上記計測ユニットが、検査用治具の第１導体部および第２導体部が軌道面に接触した状態で、第１導体部と第２導体部との間に一定の電流を流す定電流源と、電圧値を計測する電圧計と、を備えるものであってもよい。
本構成によれば、検査作業者の検査技術への依存度が低い、第１導体部および第２導体部との間に生じる電圧の電圧値に基づいて、ラジアル接触角の検査を行う。従って、比較的簡易な構成としながら、玉と軌道面とのラジアル接触角の検査を精度良く行うことができる。
【００１２】
また、本発明に係る接触角検査装置は、上記計測ユニット
が、上記ラジアル接触角と上記電圧値との間の相関関係を示すルックアップテーブルに基づいて、ラジアル接触角が上記許容範囲内に存在するか否かを判定するものであってもよい。
本構成によれば、ラジアル接触角と電圧値との関係式に基づいて演算を行い、ラジアル接触角を算出する構成に比べて、判定部で行われる演算量の低減を図り易いので、判定部の処理負荷軽減が図り易くなる。
【００１３】
また、本発明に係る接触角検査装置は、上記検査用治具が、断面の包絡形状が上記玉の中心を含む断面の形状に等しい柱状に形成され、上記第１導体部と上記第２導体部とを電気的に絶縁する絶縁体部を更に備えるものであってもよい。また、第１導体部が、検査用治具における中心軸を含む一の仮想平面の一面側に位置し、中心軸に直交する方向において中心軸との距離が玉の半径に等しい第１円弧面を有するものであってもよい。更に、第２導体部が、検査用治具における仮想平面の他面側に位置し、中心軸に直交する方向において中心軸との距離が玉の半径に等しい第２円弧面を有するものであってもよい。
本構成によれば、検査用治具が、断面の包絡形状が玉の中心を含む断面の形状に等しい柱状に形成されている。また、第１導体部が、上記仮想平面の一面側に位置し上記第１円弧面を有するとともに、第２導体部が、上記仮想平面の他面側に位置し上記第２円弧面を有する。つまり、第１円弧面および第２円弧面それぞれは、玉の中心を含む断面の外縁の一部に対応している。従って、検査用治具の側面を軌道輪の軌道面に押し当てるだけで、第１導体部の第１円弧面の一部および第２導体部の第２円弧面の一部を軌道面に接触させることができるので、検査作業の容易化を図ることができる。
【００１４】
また、他の観点から見た本発明に係る接触角検査用治具は、玉軸受の軌道輪に形成された軌道面に２点接触している玉のラジアル接触角の検査に用いられる検査用治具である。この接触角検査用治具は、玉と軌道面との２つの接触点の一方に接触可能な第１導体部と、他方に接触可能な第２導体部と、第１導体部と第２導体部とを電気的に絶縁する絶縁体部と、を備え、断面の包絡形状が前記玉の中心を含む断面の形状に等しい柱状に形成されている。ここで、第１導体部は、検査用治具における中心軸を含む一の仮想平面の一面側に位置し、中心軸に直交する方向において中心軸との距離が玉の半径に等しい第１円弧面を有する。第２導体部は、検査用治具における仮想平面の他面側に位置し、中心軸に直交する方向において中心軸との距離が玉の半径に等しい第２円弧面を有する。
【００１５】
また、他の観点から見た本発明に係る接触角検査方法は、玉軸受の軌道輪に形成された軌道面に２点接触している玉のラジアル接触角を、前記玉と前記軌道面との２つの接触点の一方に接触可能な第１導体部と、他方に接触可能な第２導体部とを有する検査用治具を用いて検査する。この接触角検査方法は、第１導体部を、玉と軌道面との２つの接触点の一方に接触させるとともに、第２導体部を、他方に接触させるステップと、検査用治具の第１導体部および第２導体部を軌道面に接触した状態における、第１導体部と第２導体部との間の抵抗値に依存するパラメータを検出するステップと、パラメータとラジアル接触角との相関関係に基づいて、ラジアル接触角が許容範囲内に存在するか否かを判定するステップと、を含む。
【発明の効果】
【００１６】
本発明では、比較的簡易な構成としながら、玉と軌道面とのラジアル接触角の検査を精度良く行うことができる。
【図面の簡単な説明】
【００１７】
【図１】３点接触玉軸受を示し、（ａ）は平面図、（ｂ）は（ａ）におけるＡ−Ａ断面の矢視図である。
【図２】実施形態１に係る接触角検査装置の概略構成図である。
【図３】実施形態１に係る接触角検査装置の検査原理を示す図である。
【図４】実施形態１に係る接触角検査装置の等価回路である。
【図５】実施形態１に係る接触角検査装置について、マスタゲージ測定時の様子を示す模式図である。
【図６】実施形態１に係るルックアップテーブルの内容を示すグラフである。
【図７】実施形態２に係る接触角検査装置の概略構成図である。
【図８】実施形態２に係るルックアップテーブルの内容を示すグラフである。
【図９】変形例に係る検査用治具を示し、（ａ）は斜視図、（ｂ）は使用例を示す図である。
【図１０】変形例に係る検査用治具を示し、（ａ）は斜視図、（ｂ）は使用例を示す図である。
【発明を実施するための形態】
【００１８】
＜実施の形態１＞
＜１＞３点接触玉軸受の構造について
まず、本実施形態に係る接触角検査装置の検査対象となる３点接触玉軸受１の構造について説明する。
図１は、本実施形態に係る接触角検査装置２の検査対象となる３点接触玉軸受１を示し、（ａ）は平面図、（ｂ）は（ａ）におけるＡ−Ａ断面の矢視図である。
図１（ａ）に示すように、３点接触玉軸受１は、環状の内輪１１と、内輪１１の外側に配置された環状の外輪１３と、内輪１１と外輪１３との間に配置され、円環状の保持器１５に保持された転動体としての複数の玉１７とを備えている。内輪１１の外周面には内輪側軌道面１１１が形成されており、外輪１３の内周面には外輪側軌道面１３１が形成されている。そして、内輪側軌道面１１１と外輪側軌道面１３１とが互いに対向するように、内輪１１と外輪１３とが配置されている。また、内輪１１は、第１内輪１１ａと第２内輪１１ｂとから構成され、軸方向中央部において分割された構造を有している。
【００１９】
第１内輪１１ａおよび第２内輪１１ｂの外周面には、それぞれ第１内輪側軌道面１１１ａおよび第２内輪側軌道面１１１ｂが形成されている。これら第１内輪側軌道面１１１ａおよび第２内輪側軌道面１１１ｂは、内輪側軌道面１１１を構成する。また、複数の玉１７は、外周面が、第１内輪側軌道面１１１ａ、第２内輪側軌道面１１１ｂおよび外輪側軌道面１３１それぞれに１点で接触可能となっている。つまり、玉１７は、内輪１１に２点で接触し、外輪１３に１点で接触している。そして、複数の玉１７は、内輪１１および外輪１３の周方向に略等間隔に配置された状態で、保持器１５により転動自在に保持されている。以上の構成により、３点接触玉軸受１の内輪１１および外輪１３は、相対的に回転可能となっている。
【００２０】
＜２＞接触角検査装置の構成について
次に、本実施形態に係る接触角検査装置２の構成について説明する。
図２は、接触角検査装置２の概略構成図である。
接触角検査装置２は、検査用治具２１と、計測ユニット２２とを備える。
検査用治具２１は、玉軸受の軌道輪に形成された内輪側軌道面１１１に２点接触している玉１７のラジアル接触角（以下、単に「接触角」と称する。）θの検査に用いられる検査用治具である。
この検査用治具２１は、玉１７と内輪側軌道面１１１との２つの接触点の一方に接触可能な第１導体部２１ａと、他方に接触可能な第２導体部２１ｂと、第１導体部２１ａと第２導体部２１ｂとを電気的に絶縁する絶縁体部２１ｃと、を備える。この検査用治具２１は、断面形状が玉１７の中心を含む断面の形状に等しい円柱状に形成されている。
【００２１】
計測ユニット２２は、直流電源２２ａと、電流計２２ｂと、演算処理部（判定部）２２ｃとを備える。
直流電源２２ａは、定電圧源であり、検査用治具２１における第１導体部２１ａと、第２導体部２１ｂとの間に一定の電圧を印加する。直流電源２２ａとしては、例えば、商用電源から供給される整流平滑する整流平滑回路と、定電圧制御を行う電圧制御回路とを組み合わせて構成される。
電流計２２ｂは、第１導体部２１ａから内輪１１を通って第２導体部２１ｂに流れる電流の電流値を計測する。この電流値は、検査用治具２１の第１導体部２１ａおよび第２導体部２１ｂを内輪側軌道面１１１に接触した状態における、第１導体部２１ａと第２導体部２１ｂとの間の抵抗値に依存する。
【００２２】
演算処理部２２ｃは、電流計２２ｂから入力される電流値に基づいて、接触角θが許容範囲内であるか否かを判定する。ここで、演算処理部２２ｃは、ルックアップテーブル２２ｄを保持しており、当該ルックアップテーブル２２ｄに基づいて上記判定を行う。ルックアップテーブル２２ｄは、玉１７との接触角が互いに異なる２種類以上のマスタゲージを測定することにより生成される。このルックアップテーブル２２ｄの詳細については後述する。
【００２３】
検査時において、検査用治具２１は、絶縁体部２１ｃの厚み方向に直交する方向と軸受１のラジアル方向とが略平行となるように、内輪１１の内輪側軌道面１１１に接触した状態で使用される。
【００２４】
図３は、本実施形態に係る接触角検査装置２の検査原理を示す図である。
第１導体部２１ａは、検査用治具２１における中心軸Ｃ１を含む一の仮想平面ＰＬの一面側（図３における左側）に位置し、中心軸Ｃ１に直交する方向において中心軸Ｃ１との距離が玉１７の半径Ｒｂに等しい第１円弧面２１ａａを有する。
第２導体部２１ｂは、検査用治具２１における仮想平面ＰＬの上記一面側とは反対側の他面側（図３における右側）に位置し、中心軸Ｃ１に直交する方向において中心軸Ｃ１との距離が玉１７の半径Ｒｂに等しい第２円弧面２１ｂａを有する。
【００２５】
第１円弧面２１ａａおよび第２円弧面２１ｂａの曲率半径Ｒｂは、内輪側軌道面１１１の曲率半径Ｒａよりも小さい。そして、検査用治具２１を、内輪側軌道面１１１に当接させると、内輪側軌道面１１における２点（図３の丸で囲んだ２箇所）に接触する。なお、図３において、Ｃ２は、内輪側軌道面１１１の曲率中心を示す。
内輪側軌道面１１１の曲率が大きく（即ち、曲率半径Ｒａが短く）、検査用治具２１と内輪側軌道面１１１との接触角θが小さくなると、内輪１１内部の電流経路の長さが短くなる。すると、２つの接触点間の抵抗値（第１導体部２１ａと第２導体部２１ｂとの間の抵抗値）は小さくなる。一方、内輪側軌道面１１１の曲率が小さく（即ち、曲率半径Ｒａが長く）、検査用治具２１と内輪側軌道面１１１との接触角θが大きくなると、内輪１１内部の電流経路の長さが長くなる。すると、２つの接触点間の抵抗値（第１導体部２１ａと第２導体部２１ｂとの間の抵抗値）は大きくなる。接触角検査装置２は、この原理を利用して、接触角θの大きさを検査するものである。
【００２６】
図４は、本実施形態に係る接触角検査装置２の等価回路である。
ここで、Ｒ２１ａは、第１導体部２１ａを示し、Ｒ２１ｂは、第２導体部２１ｂを示し、ＲＬは、検査用治具２１を内輪１１に接触させた状態における第１導体部２１ａと第２導体部２１ｂとの間の抵抗を示す。検査用治具２１と内輪側軌道面１１１との接触角θが大きくなると、抵抗ＲＬが大きくなり、上記接触角θが小さくなると、抵抗ＲＬが小さくなる。
また、抵抗ＲＬの変動を感度良く検出する観点からすれば、抵抗Ｒ２１ａ，Ｒ２１ｂの抵抗値は、抵抗ＲＬの抵抗値に比べて同程度か或いは低めに設定されるのが好ましい。一方、検査用治具２１と内輪１１との間の接触抵抗の影響を低減する観点からすれば、抵抗Ｒ２１ａ，Ｒ２１ｂの抵抗値は、当該接触抵抗よりも高めに設定されるのが好ましい。従って、抵抗Ｒ２１ａ，Ｒ２１ｂの抵抗値は、上記２つの観点を考慮して適宜設定すべきである。
【００２７】
＜３＞ルックアップテーブルについて
次に、ルックアップテーブル２２ｄの詳細について説明する。
本実施形態では、軌道面に模した溝を備えた３種類のマスタゲージＭ１，Ｍ２，Ｍ３を使用して生成されたルックアップテーブル２２ｄについて説明する。ここで、マスタゲージＭ１，Ｍ２，Ｍ３は、溝の曲率が互いに異なる。なお、使用するマスタゲージの種類は、３種類に限定されるものではなく、例えば、２種類であってもよいし、４種類以上であってもよい。
【００２８】
図５は、マスタゲージ測定時の様子を示す模式図であり、図６は、ルックアップテーブル２２ｄの内容を示すグラフである。
検査用治具２１とマスタゲージＭ１，Ｍ２，Ｍ３との接触角θ１，θ２，θ３は、θ１，θ２，θ３の順に小さくなっている。そして、マスタゲージＭ１，Ｍ２，Ｍ３内における電流経路の長さＰ１，Ｐ２，Ｐ３は、Ｐ１，Ｐ２，Ｐ３の順に短くなっている。従って、マスタゲージＭ１，Ｍ２，Ｍ３測定時における第１導体部２１ａと第２導体部２１ｂとの間の抵抗値は、Ｍ１，Ｍ２，Ｍ３の順に小さくなり、マスタゲージＭ１，Ｍ２，Ｍ３を流れる電流値Ｉは、Ｍ１，Ｍ２，Ｍ３の順に大きくなる。
そして、マスタゲージＭ１，Ｍ２，Ｍ３の測定結果から、図６に示すような接触角θと電流値Ｉとの関係が得られる。
【００２９】
例えば、検査対象の内輪１１について、接触角θに対する許容範囲（良品範囲）がθ１〜θ３であるとする。この場合、電流値ＩがＩ１〜Ｉ３の範囲内にあれば、接触角θが許容範囲にある、即ち、検査対象の内輪１１は良品であると判定できる。
また、検査対象の内輪１１について、接触角θに対する規格中心値がθ２であるとする。この場合、複数の内輪１１について検査を行い、電流値ＩがＩ１〜Ｉ２の範囲およびＩ２〜Ｉ３の範囲のいずれの範囲にあるかをモニタすることにより、接触角θのトレンド管理が可能となる。
例えば、内輪１１の内輪側軌道面１１１を形成する工程の出来栄え検査において、電流値がＩ１〜Ｉ２の範囲を推移するようになってきた場合、接触角θが規格中心値θ２に対して低めに推移していると判断できる。この場合、接触角θのトレンド中心を規格中心値θ２近傍に引き上げるために、内輪側軌道面１１１の曲率を大きく（曲率半径を小さく）するように加工条件を選択すればよい。
一方、上記出来栄え検査において、電流値がＩ２〜Ｉ３の範囲を推移するようになってきた場合、接触角θが規格中心値θ２に対して高めに推移していると判断できる。この場合、接触角θのトレンド中心を規格中心値θ２近傍に引き下げるために、内輪側軌道面１１１の曲率を小さく（曲率半径を大きく）するように加工条件を選択すればよい。
【００３０】
＜４＞まとめ
結局、本実施形態に係る接触角検査装置２では、計測ユニット２２が、検査用治具２１の第１導体部２１ａおよび第２導体部２１ｂが内輪側軌道面１１１に接触した状態における、第１導体部２１ａと第２導体部２１ｂとの間の抵抗値に依存するパラメータ（ここでは、電流値Ｉ）を検出する。そして、計測ユニット２２は、検出した電流値Ｉと接触角θとの相関関係に基づいて、接触角θが許容範囲内に存在するか否かを判定する。つまり、接触角検査装置２では、検査作業者の検査技術への依存度が低い第１導体部２１ａと第２導体部２１ｂとの間の抵抗値に依存する電流値Ｉに基づいて、接触角θの検査を行う。従って、比較的簡易な構成としながら、玉１７と内輪側軌道面１１１との接触角θの検査を精度良く行うことができる。
【００３１】
また、接触角検査装置２では、検査用治具２１が、断面の包絡形状が玉１７の中心を含む断面の形状に等しい柱状に形成されている。ここで、第１導体部２１ａが、上記仮想平面の一面側に位置し第１円弧面２１ａａを有する。また、第２導体部２１ｂが、上記仮想平面の他面側に位置し第２円弧面２１ｂａを有する。つまり、第１円弧面２１ａａおよび第２円弧面２１ｂａそれぞれは、玉１７の中心を含む断面の外縁の一部に対応している。従って、検査用治具２１の側面を内輪１１の内輪側軌道面１１１に押し当てるだけで、第１導体部２１ａの第１円弧面２１ａａの一部および第２導体部２１ｂの第２円弧面２１ｂａの一部を内輪側軌道面１１１に接触させることができるので、検査作業の容易化を図ることができる。
【００３２】
更に、接触角検査装置２では、接触角θと電流値Ｉとの関係式に基づいて演算を行い、接触角θを算出する構成に比べて、演算処理部２２ｃで行われる演算量の低減を図り易いので、演算処理部２２ｃの処理負荷軽減が図り易くなる。
【００３３】
＜実施形態２＞
次に、本実施形態に係る接触角検査装置２０２の構成について説明する。
図７は、接触角検査装置２０２の概略構成図である。なお、実施形態１と同様の構成については同一の符号を付して適宜説明を省略する。
接触角検査装置２０２は、検査用治具２１と、計測ユニット２２２とを備える。検査用治具２１は、実施形態１と同様である。
計測ユニット２２２は、直流電源２２２ａと、電圧計２２２ｂと、演算処理部２２２ｃとを備える。
直流電源２２２ａは、定電流源であり、検査用治具２１における第１導体部２１ａと、第２導体部２１ｂとの間に一定の電流を印加する。直流電源２２２ａとしては、例えば、商用電源から供給される整流平滑する整流平滑回路と、定電流制御を行う電流制御回路とを組み合わせて構成される。
電圧計２２２ｂは、第１導体部２１ａと第２導体部２１ｂとの間に生じる電圧を計測する。
【００３４】
次に、本実施形態に係る接触角検査装置２０２が使用するルックアップテーブル２２２ｄの内容について説明する。本実施形態では、実施形態１と同様に、溝曲率が互いに異なる３種類のマスタゲージＭ１，Ｍ２，Ｍ３を使用してルックアップテーブル２２２ｄを作成するものとする。
【００３５】
図８は、本実施形態に係るルックアップテーブル２２２ｄの内容を示すグラフである。
検査用治具２１とマスタゲージＭ１，Ｍ２，Ｍ３との接触角θ１，θ２，θ３は、θ１，θ２，θ３の順に小さくなっているとする。この場合、マスタゲージＭ１，Ｍ２，Ｍ３内における電流経路の長さＰ１，Ｐ２，Ｐ３は、Ｐ１，Ｐ２，Ｐ３の順に短くなっている。従って、マスタゲージＭ１，Ｍ２，Ｍ３測定時における第１導体部２１ａと第２導体部２１ｂとの間の抵抗値は、Ｍ１，Ｍ２，Ｍ３の順に小さくなり、第１導体部２１ａと第２導体部２１ｂとの間に生じる電圧の電圧値Ｖは、Ｍ１，Ｍ２，Ｍ３の順に小さくなる。
そして、マスタゲージＭ１，Ｍ２，Ｍ３の測定結果から、図８に示すような接触角θと電圧値Ｖとの関係が得られる。
【００３６】
例えば、検査対象の内輪１１について、接触角θに対する許容範囲（良品範囲）がθ１〜θ３であるとする。この場合、電圧値ＶがＶ１〜Ｖ３の範囲内にあれば、接触角θが許容範囲にある、即ち、検査対象の内輪１１は良品であると判定できる。
また、検査対象の内輪１１について、接触角θに対する規格中心値がθ２であるとする。この場合、複数の内輪１１について検査を行い、電流値ＩがＶ１〜Ｖ２の範囲およびＶ２〜Ｖ３の範囲のいずれの範囲を推移しているかをモニタすることにより、接触角θのトレンド管理が可能となる。
【００３７】
結局、本実施形態に係る接触角検査装置２０２によれば、検査作業者の検査技術への依存度が低い、第１導体部２１ａおよび第２導体部２１ｂの間に生じる電圧の電圧値Ｖに基づいて、ラジアル接触角θの検査を行う。従って、比較的簡易な構成としながら、玉１７と内輪側軌道面１１１との接触角θの検査を精度良く行うことができる。
また、接触角検査装置２０２は、接触角θと電圧値Ｖとの関係式に基づいて演算を行い、接触角θを算出する構成に比べて、演算処理部２２２ｃで行われる演算量の低減を図り易いので、演算処理部２２ｃの処理負荷軽減が図り易くなる。
【００３８】
＜変形例＞
（１）実施形態１および２では、内輪１１の接触角検査用の検査用治具２１を採用する例について説明したが、検査対象は内輪１１に限定されるものではなく、検査対象が、外輪に２点で接触する玉軸受の外輪であってもよい。この場合、検査用治具の形状を、外輪に２点で接触可能な形状にする必要がある。
本変形例に係る検査用治具２２１、３２１を図９に示す。ここで、外輪２１３は、玉が外輪に２点で接触する３点接触玉軸受或いは４点接触玉軸受の外輪である。
図９（ａ）に示すように、検査用治具２２１は、外輪２１３の曲率半径よりも小さい曲率半径を有する円弧状の形状を有している。
この検査用治具２２１は、円弧状の第１導体部２２１ａと、円弧状の第２導体部２２１ｂと、円弧状であり第１導体部２２１ａおよび第２導体部２２１ｂの間に介在する絶縁体部２２１ｃとから構成されている。そして、図９（ｂ）に示すように、検査用治具２２１は、外輪２１３の内側から外輪２１３の軌道面２１４に２点で接触した状態で使用される。
【００３９】
或いは、図１０（ａ）に示すように、検査用治具３２１は、先端部が略球状である。
この検査用治具３２１は、略半球状の頭部を有する第１導体部３２１ａと、略半球状の頭部を有する第２導体部３２１ｂと、円板状の頭部を有し第１導体部３２１ａおよび第２導体部３２１ｂの間に介在する絶縁体部３２１ｃとから構成されている。
そして、図１０（ｂ）に示すように、検査用治具３２１は、外輪２１３の内側から外輪２１３の軌道面２１４に２点で接触した状態で使用される。
本構成によれば、外輪に２点で接触する玉軸受についても、ラジアル接触角の検査が可能となる。
【００４０】
（２）実施形態１および２では、検査用治具２１が、断面形状が玉１７の中心を含む断面の形状に等しい円柱状に形成されている例について説明した。但し、検査用治具２１の形状は、断面の包絡形状が玉１７の中心を含む断面の形状に等しければ、これに限定されるものではない。例えば、検査用治具２１において、その外表面のうち、第１導体部２１ａと第２導体部２１ｂとの間に介在する絶縁体部２１ｃに対応する部分に窪みを設けた形状であってもよい。この場合、検査用治具は、円柱状ではないが、断面の包絡形状が玉１７の中心を含む断面の形状、即ち、円形となっている。
本構成によれば、検査用治具を内輪１１に接触させるときに、検査用治具における絶縁体部の位置を認識し易くなる。従って、絶縁体部２１ｃに対応する部分の窪みを検査用治具２１の姿勢を示す目印とすれば、検査用治具２１の姿勢の調整が行い易くなるという利点がある。
【００４１】
（３）実施形態１および２では、直流電源２２ａ，２２２ａを採用する例について説明したが、電源の種類はこれに限定されるものではなく、直流電源２２ａ，２２２ａの代わりに交流電圧を出力する交流電源を採用してもよい。
【００４２】
なお、本発明は、前述の各実施形態や変形例に限定されるものではなく適宜変更可能である。
【符号の説明】
【００４３】
１：軸受、２：接触角検査装置、１１：内輪、２１：検査用治具、２１ａ：第１導体部、２１ｂ：第２導体部、２１ｃ：第３導体部、２１ａａ：第１円弧面、２１ｂａ：第２円弧面、２２ａ，２２２ａ：直流電源、２２ｂ：電流計、２２ｃ，２２２ｃ：演算処理部、１１１：内輪側軌道面、２２２ｂ：電圧計
【図１】
2014238276.tif 000003
【図２】
2014238276.tif 000004
【図３】
2014238276.tif 000005
【図４】
2014238276.tif 000006
【図５】
2014238276.tif 000007
【図６】
2014238276.tif 000008
【図７】
2014238276.tif 000009
【図８】
2014238276.tif 000010
【図９】
2014238276.tif 000011
【図１０】
2014238276.tif 000012